(57)【要約】【課題】  静止原稿を読み取る固定読みと移動原稿を読み取る流し読みのいずれの読み取り方法も可能な画像読み取り装置において、簡単な構造の原稿台ガラスを提供する。【解決手段】  原稿台ガラス上の移動原稿読み取り位置に流し読みガラスを配置し、流し読みガラスの端部に移動原稿をすくうためのジャンプ台を配置する。流し読みでは、原稿は流し読みガラス上を搬送される原稿読み取り、固定読みでは原稿台ガラス上に載置された原稿を読み取る。流し読みの位置では、ＣＩＳは原稿台ガラスの下面に当接し、固定読みの位置では原稿台ガラスから離間させるガイドに当接させることで、流し読みと固定読みの原稿からＣＩＳまでの距離を一定にする。【選択図】  図１
2006211353.tif 000002
【特許請求の範囲】
【請求項１】
読み取り手段を走査することにより静止した原稿の画像を読み取る第1の読み取り部と、前記読み取り手段を静止し、自動原稿搬送装置から搬送される原稿を移動させることにより画像を読み取る第2の読み取り部とを有する画像読み取り装置において、
前記第1の読み取り部にて静止原稿を載置するための第1の透明部材と、前記第2の読み取り部にて前記自動原稿搬送装置から搬送される原稿を載置するために前記第1の透明部材上に載置されている第2の透明部材と、第2の透明部材の端部に、自動原稿搬送装置から搬送される原稿をすくい上げるための紙すくい部材と有し、
前記第1の読み取り部にて前記読み取り手段を前記第1の透明部材から第1の距離で支持する第1の支持手段と、前記第2の読み取り部にて前記読み取り手段を前記第1の透明部材から第2の距離で支持する第2の支持手段とを備えることを特徴とする画像読み取り装置。
【請求項２】
読み取り手段の両端に設けられた一対のスペーサと、
前記スペーサを上方に付勢するための押圧手段と、
前記スペーサに対応する第1の読み取り部で第1の透明部材の下面に設けられたガイド部材と、を備え、
前記第1の読み取り部では前記スペーサは前記ガイド部材に当接し、
第2の読み取り部では前記スペーサは前記第1の透明部材に当接することを特徴とする請求項1記載の画像読み取り装置。
【請求項３】
読み取り手段の両端に設けられた一対のスペーサと、
前記スペーサを上方に付勢するための押圧手段と、
第1の透明部材の下面に設けられ、前記スペーサに対応する第1の読み取り部では第1の面、前記スペーサに対応する第2の読み取り部では第2の面が形成されているガイド部材と、を備え、
前記第1の読み取り部では前記スペーサは前記ガイド部材の前記第1の面に当接し、
前記第2の読み取り部では前記スペーサは前記ガイド部材の前記第2の面に当接することを特徴とする請求項1記載の画像読み取り装置。
【請求項４】
読み取り手段の両端に設けられ、第1の当接部と第2の当接部が形成されている一対のスペーサを備え、
第1の読み取り部では前記第1の当接部が、
第2の読み取り部では前記第2の当接部が前記第1の透明部材の下面に当接することを特徴とする請求項1記載の画像読み取り装置。
【請求項５】
第1の透明部材と第2の透明部材はガラスからなることを特徴とする請求項1〜4記載の画像読み取り装置。
【発明の詳細な説明】
【技術分野】
【０００１】
本発明は、複写機、プリンタ、ファクシミリ等の画像形成装置に用いられる画像読み取り装置に関するものであり、詳しくは密着型イメージセンサを用いて原稿画像情報を読み取る画像読み取り装置に関する。
【背景技術】
【０００２】
従来の画像読み取り装置においては、CCDイメージセンサあるいは密着型イメージセンサが用いられている。
【０００３】
密着型イメージセンサを用いた読み取り方式は、CCDイメージセンサを用いた縮小光学系読み取り方式に比べ、読み取り装置の高さを小さくでき、さらには駆動系も大幅に簡略化されるため低コストで読み取り装置を構成できる。
【０００４】
しかもCCD縮小光学系にみられる画像ブレがほとんど発生しないという利点も有する。
【０００５】
しかしながら、密着型イメージセンサは上述した利点を有するものの、レンズの焦点深度が浅く、画像読み取り面と密着型イメージセンサの相対位置が精度よく出ていないと、最適焦点が安定せず、所定の読み取り解像度（MTF）が得られないという問題がある。
【０００６】
そこでこれらの不具合を解消するために、特開平1-293756号公報においては、密着型イメージセンサの両端に軽摩擦部材を設け、かつ軽摩擦部材が原稿台ガラス裏面に圧接するよう付勢部材により付勢した状態で、副走査方向に走査させることを提案している。
【０００７】
これにより画像読み取り面に対する密着型イメージセンサの焦点位置は常に一定になるよう保障される。
【０００８】
ところで、前記画像読み取り装置は、原稿トレイ上に積載された原稿を1枚ずつに分離して搬送されるADF（Auto Document Feeder）と組み合わされることが近年では多くなっている。
【０００９】
このADFを用いた原稿読み取り方法（以下、流し読み）と、原稿を固定した状態で密着型イメージセンサ等の読み取り部を走査させる原稿読み取り方法（以下、固定読み）のふたつの読み取り方法を有することで、シート原稿の効率良い読み取りと厚物原稿の読み取りの両方がおこなえる。
【００１０】
ADFを搭載した画像読取装置においては、流し読みと固定読みを各々独立した原稿台ガラスでおこなうタイプが主流となっている。
【００１１】
しかしながら、流し読みと固定読みを各々独立した原稿台ガラスでおこなうタイプのADFの場合、各々の原稿台ガラスの強度が低下してしまう。従って、原稿を原稿台ガラスに抑えつけた時の荷重により原稿台ガラスがたわんでしまうことで特開平1-293756号公報のような構成を採用しても読み取り解像度が低下したり、また原稿台ガラスが衝撃により容易に破損することになるので、原稿台ガラスを支持する構成の強度を向上させている。そのため、装置の大型化、コストアップを招き、さらに、装置の大型化により生産性を低下させてしまっている。
【００１２】
つまり密着型センサを用いた画像読み取り装置の場合は、流し読みと固定読みを各々独立した原稿台ガラスでおこなうよりも、強度を十分に確保できるよう、双方の読み取りを単一のガラスでおこなえるほうが望ましい。
【００１３】
しかしながら、単一のガラスで読み取りをおこなう場合、ADFから搬送されてきた原稿をガラス表面からすくいとるための手段が必要となる。
【００１４】
そこで特開平10-4474では、原稿ガラスにスクレーパシートを密着させることにより、原稿をガラス表面からすくいとることを提案している。
【００１５】
また、特開平10-107956では、原稿をガラス中央部からガラス端部方向に搬送させることにより、ガラス表面で原稿をすくいとることを回避している。
【００１６】
さらには、特登録3006229では、単一の原稿台ガラスの表面に流し読み用の透明部材を貼り付け、その段差により原稿をすくいとることを提案している。
【特許文献１】特開平１−２９３７５６号公報
【特許文献２】特開平１０−４４７４号公報
【特許文献３】特開平１０−１０７９５６号公報
【特許文献４】特登録３００６２２９号公報
【発明の開示】
【発明が解決しようとする課題】
【００１７】
しかしながら、特開平10-4474ではスクレーパシートを介して原稿を読み取っているため、スクレーパシート分の焦点位置修正手段が必要となる。
【００１８】
また、スクレーパシートはガラスに比べて柔らかく傷がつきやすいため、画像に影響をおよぼすことになりかねない。
【００１９】
また、特開平10-107956では、排出された原稿をうけとるためのトレイが画像読み取り装置本体よりも左に突出しており、せっかく密着型イメージセンサを使って本体サイズの小型化を計ろうとしているのに反して装置の大型化を招くことになる。
【００２０】
排紙経路をUターンさせる方法もあるが、排出トレイが原稿給紙トレイの上方に位置するため、ユーザーにとっては非常に使いにくい装置となる。
【００２１】
また、特許番号3006229では裏面に焦点位置修正手段の透明部材を貼り付けているため、ガラス裏面に近接もしくは密着する密着型イメージセンサには不向きな形態となっている。
【００２２】
本発明は上記に鑑みてなされたものであり、密着型イメージセンサを用いた読み取り装置で、さらには流し読みと固定読みの両方の読み取りを単一の原稿台ガラスでおこなう画像読み取り装置において、読み取られた原稿を原稿台ガラスから確実にすくい、かつ焦点の安定した画像読み取りが可能な読取装置を提供することにある。
【課題を解決するための手段】
【００２３】
以上のような問題を解決するために本出願の第１の発明では、読み取り手段を走査することにより静止した原稿の画像を読み取る第1の読み取り部と、前記読み取り手段を静止し、自動原稿搬送装置から搬送される原稿を移動させることにより画像を読み取る第2の読み取り部とを有する画像読み取り装置において、前記第1の読み取り部にて静止原稿を載置するための第1の透明部材と、前記第2の読み取り部にて前記自動原稿搬送装置から搬送される原稿を載置するために前記第1の透明部材上に載置されている第2の透明部材と、第2の透明部材の端部に、自動原稿搬送装置から搬送される原稿をすくい上げるための紙すくい部材と有し、前記第1の読み取り部にて前記読み取り手段を前記第1の透明部材から第1の距離で支持する第1の支持手段と、前記第2の読み取り部にて前記読み取り手段を前記第1の透明部材から第2の距離で支持する第2の支持手段とを備えることを特徴とする。
【００２４】
そして、読み取り手段の両端に設けられた一対のスペーサと、前記スペーサを上方に付勢するための押圧手段と、前記スペーサに対応する第1の読み取り部で第1の透明部材の下面に設けられたガイド部材と、を備え、前記第1の読み取り部では前記スペーサは前記ガイド部材に当接し、第2の読み取り部では前記スペーサは前記第1の透明部材に当接することを特徴とする。
【００２５】
本出願の第2の発明では、読み取り手段の両端に設けられた一対のスペーサと、前記スペーサを上方に付勢するための押圧手段と、第1の透明部材の下面に設けられ、前記スペーサに対応する第1の読み取り部では第1の面、前記スペーサに対応する第2の読み取りでは第2の面が形成されているガイド部材と、を備え、前記第1の読み取り部では前記スペーサは前記ガイド部材の前記第1の面に当接し、前記第2の読み取り部では前記スペーサは前記ガイド部材の前記第2の面に当接することを特徴とする。
【００２６】
本出願第3の発明では、読み取り手段の両端に設けられ、第1の当接部と第2の当接部が形成されている一対のスペーサを備え、第1の読み取り部では前記第1の当接部が、第2の読み取り部では前記第2の当接部が前記第1の透明部材の下面に当接することを特徴とする。
【発明の効果】
【００２７】
以上説明したように、第１の発明では、原稿台ガラスを固定読み部と流し読み部で一体化したので、原稿台ガラスを支持する構成の強度向上させる必要がなくなり、装置の小型化、コストダウンを図れると共に、生産性を向上させることが可能となった。
【００２８】
また、第2の発明では、固定読み部と流し読み部のガイドプレートを一体化し、つなぎ目がなくなるので、密着型イメージセンサ18が流し読みから固定読みに移動する時に発生する衝撃を低減し、密着型イメージセンサ18の振動による画質劣化を防止することが可能となった。
【００２９】
さらに第3の発明では、ガイドレールよりもはるかに小さいスペーサのみで、密着型イメージセンサを原稿台ガラスから所定の距離に支持しているので、より高精度でかつ読み取り領域全域で距離のバラツキを抑制することが可能となり、高品質な読み取り画像を得ることができた。
【発明を実施するための最良の形態】
【００３０】
（第１の実施例）
以下、本発明を図面に示した実施例に沿って詳細に説明する。
【００３１】
図1は第1の実施例を示す正面断面図であり、図2は側面断面図、図3は原稿台ガラス部近傍の詳細図である。
【００３２】
100は読み取り装置本体であり、読み取り装置本体100の上部には自動原稿搬送装置（ADF）200が載置されている。
【００３３】
1は原稿台ガラスであり、フレーム33に支持されている。原稿台ガラス1の上面には、ADF200から搬送された原稿を読み取るための流し読み用ガラス2、および流し読み用ガラス2の右側にADF200により搬送された原稿を流し読み用ガラス2からすくいとるためのジャンプ台4が配置されている。
【００３４】
ここで流し読みガラス2は原稿台ガラス1に対して載置されるだけでも構わないし、貼り付けの状態、いわゆるあわせガラスであっても構わない。また、流し読みガラス2は樹脂により成形されていてもよい。
【００３５】
そして、ジャンプ台4は原稿台ガラス1に対して接着、または両面テープなどにより、原稿台ガラス1に固着されている。また、本実施例ではジャンプ台を原稿台ガラス1に設けたが、このような流し読みガラス2から原稿をすくいとる手段をADF200に設けてもよい。
【００３６】
18は密着型イメージセンサであり、図中矢印方向に移動することにより、流し読み用ガラス2上に搬送された原稿を画像データを取り込み（流し読み）、あるいはジャンプ台4の右側の原稿台ガラス１上に載置された原稿の画像を画像データとして取り込む(固定読み)。
【００３７】
密着型イメージセンサ18はセンサの長手方向両端部に配置されたコイルスプリング19、20を介して、キャリッジ21に保持されている。
【００３８】
すなわちキャリッジ21の端部に設けられた2本の案内ピン22、23にそれぞれコイルスプリング19、20が通されている。
【００３９】
案内ピン22、23の先端部は密着型イメージセンサ18の両端部に設けられたフランジ部24、25の孔に通されている。
【００４０】
孔は案内ピン22、23に勘合されており、したがって密着型イメージセンサ18は原稿台ガラス1方向に付勢されることになる。
【００４１】
付勢される密着型イメージセンサ18は両端にスペーサ26、27を有している。また、原稿台ガラス1の下面にはスペーサ26,27に対応して固定読みを行なう範囲にガイドプレート31,32が固定されている。このガイドプレート31,32の下面から原稿台ガラス1の下面までの距離は、ほぼ流し読みガラス2の上面から原稿台ガラス1の上面までの距離と同等である。そして、スペーサ26、27は前記の付勢力により、流し読みの時には、原稿台ガラス1の下面に当接し、固定読みの時にはガイドプレート31,32に当接するので、原稿から密着型イメージセンサまでの距離は、流し読みと固定読みとで、概ね一定となる。また、ガイドプレート31,32は原稿台ガラス1を支持しているフレーム33に設けてもよい。
【００４２】
ここで、原稿から密着型イメージセンサ18までの距離を完全に一致させていないのは、原稿から密着型イメージセンサ18までに光束が通過する媒体が、流し読みでは｛流し読みガラス2＋原稿台ガラス1＋空気｝なのに対して、固定読みでは｛原稿台ガラス1＋空気｝なので、それぞれの原稿から密着型イメージセンサまでの距離に若干の差をもたせることで、光学的な焦点距離を流し読みと固定読みとで一致するように補正することができるからである。もちろん原稿から密着型イメージセンサ18までの距離を完全に一致させても、本実施例の効果を損なうものではない。
【００４３】
ここで、スペーサ26、27はPOMやナイロンといった摺動性のある樹脂であり、移動する際の摺動抵抗を極力軽減している。
【００４４】
キャリジ21は長手方向中央付近に設けられたガイドシャフト28に支持され、他端を装置本体100に設けられたレール29に摺動可能に当接する突出部30が前記キャリッジ21の底面に形成されている。
【００４５】
こうしてキャリッジ21は図示しない駆動源により、ガイドシャフト28、およびレール29に沿って、原稿台ガラス1の下側を移動可能な構成となる。
【００４６】
次いで、ADF200は下記から構成される。
【００４７】
原稿トレイ17に積載された原稿を1枚ずつ給紙するためのピックアップローラ5、取り出された原稿の重送を防止する分離搬送ローラ6、分離パッド7、用紙を読み取り部まで搬送するための搬送ローラ対8、9、搬送ガイド対10、読み取り部において原稿を流し読み用原稿台ガラス2に押さえつけるための白色ローラ11、用紙を排出トレイ12まで送り出すための排紙ローラ対13、14、排紙ガイド対15から構成される。
【００４８】
排出トレイ12は固定読み時の原稿を原稿台ガラス1に押さえつけるための圧板の機能をも兼ね備えている。
【００４９】
次に動作を説明する。
【００５０】
ADF200の原稿トレイ17に原稿が置かれた状態でスタートキーが押された場合、まず密着型イメージセンサ18は原稿台ガラス1の下面に摺動しながらガイドシャフト28の軸方向に沿って流し読み用ガラス2の下方へ向けて移動し、白色ローラ11のほぼ直下で、スペーサ25,26が原稿台ガラス1に当接した状態で停止する。
【００５１】
この動作と並行して、原稿はピックアップローラ5により給紙される。
【００５２】
給紙された原稿は、分離搬送ローラ6と分離パッド7で1枚ずつ確実に分離され、搬送ローラ対8の搬送力により搬送ガイド対10を通過した後、搬送ローラ対9に送られ、流し読みの読み取り位置である白色ローラ11と流し読み用ガラス2の間に送られる。
【００５３】
このとき密着型イメージセンサ18はすでに流し読み位置に到達し、スペーサ25,26が原稿台ガラス1に当接しているので、流し読み用ガラス2を通過する原稿の画像情報を順次読み取ることができる。
【００５４】
読み取りが進むに従って、原稿は白色ローラ11を越え、ジャンプ台4にて先端をすくわれ、流し読み用ガラス2から離間を開始する。
【００５５】
その後、原稿は排紙ローラ対13により搬送された後、排紙ガイド対15を通過し、排紙ローラ対14により排出トレイ12上に排出され、1枚目の読み取り動作を終了する。
【００５６】
もし原稿トレイ17上に複数の原稿が載置された場合は、この動作を継続して繰り返し、最終原稿の読み取りが終了した時点で読み取り動作を終了することになる。
【００５７】
次いで、原稿トレイ17に原稿が載置されない状態でスタートキーが押された場合、装置本体100は原稿台ガラス1に原稿が置かれたと判断し、密着型イメージセンサ18は原稿台ガラス1の下面をガイドシャフト28の軸方向に沿って移動し、スペーサ25,26がガイドプレート31,32に摺動しながら原稿台ガラス1上に載置された画像の読み取りをおこなう。
【００５８】
（第２の実施例）
図4に本発明の第2の実施例におけるガイドプレート41,42の構成を示す。
【００５９】
本実施例では、ガイドプレート41,42をスペーサ25,26に対応して流し読みの位置まで延長する。ガイドプレート41,42は、固定読みの範囲では比較的原稿台ガラス1に遠い第1の面を、流し読みの位置では、比較的原稿台ガラス1に近い第2の面を、形成している。
【００６０】
本実施例では、固定読みの時に当接する面と流し読みの時に当接する面とが一体の部材に形成され、つなぎ目がないので、密着型イメージセンサ18が流し読みから固定読みに移動する時に発生する衝撃を低減し、密着型イメージセンサ18の振動による画質劣化を防止することができる。
【００６１】
（第３の実施例）
図5に本発明の第２の実施例におけるスペーサの構造を示す。
【００６２】
密着型イメージセンサ55の両端にスペーサ51,52を有している。
【００６３】
本実施例では、密着型イメージセンサ55のフランジ部を厚くして、案内ピン53,54とフランジ部に設けられた孔との勘合長を延長することで、密着型イメージセンサ55を上下方向のみに移動できるように規制している。
【００６４】
スペーサ51,52には第１の当接部51a,52aおよび第２の当接部51b,52bが形成されている。
【００６５】
このような構成で、固定読みの時には図5（A）に示すように、第１の当接部51a,52aが原稿台ガラス1の下面に当接し、流し読みの時には、図5（B）に示すように第２の当接部51b,52bが原稿台ガラス1の下面に当接することで、流し読みの時と固定読みの時の原稿から密着型イメージセンサ18までの距離が、概ね一定となる。
【００６６】
第1,2の実施例では、ガイドレールは固定読みの範囲に対応して高精度でかつバラツキを少なくしなければならないので、製作することが困難だったが、本実施例ではガイドレールよりもはるかに小さいスペーサ51,52のみで、密着型イメージセンサ18を原稿台ガラス1から所定の距離に支持しているので、より高精度でかつ読み取り領域全域で距離のバラツキを抑制することが可能となり、高品質な読み取り画像を得ることができる。
【図面の簡単な説明】
【００６７】
【図１】本発明の第1の実施例に係る画像読み取り装置の正面断面図。
【図２】本発明の第1の実施例に係る読み取り装置の側面断面図。
【図３】本発明の第1の実施例に係る原稿台ガラス部の拡大図。
【図４】本発明の第2の実施例に係る画像読み取り装置の正面断面図。
【図５】本発明の第3の実施例に係る原稿台ガラス部の拡大図。
【符号の説明】
【００６８】
1  原稿台ガラス
2  流し読みガラス
16  ジャンプ台
18  密着型イメージセンサ
19,20  コイルスプリング
26,27,51,52  スペーサ
31,32,41,42  ガイドプレート
51a,52a  第１の当接部
51b,52b  第２の当接部
200  ＡＤＦ
【図１】
2006211353.tif 000003
【図２】
2006211353.tif 000004
【図３】
2006211353.tif 000005
【図４】
2006211353.tif 000006
【図５】
2006211353.tif 000007